(57)【要約】【課題】  棚に収納された物品をＲＦ−ＩＤメディアを用いて管理する物品管理システムにおいて、棚に並べられる方向の厚さが薄い物品についても確実に管理する。【解決手段】  書籍１に貼付されたＩＣタグ２と共振することによりＩＣタグ２から情報を読み出すためのコイル状のアンテナ１３ａ−１〜１３ａ−４，１３ｂ−１〜１３ｂ−４を、書籍１が並べられる方向に棚１１ａ，１１ｂを仕切るブックシェルフ１２ａ−１〜１２ａ−４，１２ｂ−１〜１２ｂ−４に設ける。【選択図】図１
2005343608.tif 000002
【特許請求の範囲】
【請求項１】
棚に収納された物品を、該物品に貼付されたＲＦ−ＩＤメディアを用いて管理する物品管理システムであって、
前記ＲＦ−ＩＤメディアと共振することにより前記ＲＦ−ＩＤメディアから情報を読み出すためのコイル状のアンテナが設けられ、前記物品が並べられる方向に前記棚を仕切る仕切り板と、
前記ＲＦ−ＩＤメディアから前記アンテナを介して情報を読み出す情報読出手段と、
前記情報読出手段にて前記ＲＦ−ＩＤメディアから読み出された情報に基づいて前記物品を管理する管理手段とを有する物品管理システム。
【請求項２】
請求項１に記載の物品管理システムにおいて、
前記仕切り板を複数有し、
前記複数の仕切り板のそれぞれについて当該仕切り板を挟むように２つずつの表示手段を有し、
前記管理手段は、前記複数の仕切り板に設けられたアンテナのうち１つのアンテナを介して前記ＲＦ−ＩＤメディアから情報が読み出された場合に当該アンテナが設けられた仕切り板を挟む２つの表示手段を駆動し、２つのアンテナを介して前記ＲＦ−ＩＤメディアから情報が読み出された場合に当該２つのアンテナが設けられた仕切り板に挟まれた２つの表示手段を駆動することを特徴とする物品管理システム。
【請求項３】
請求項２に記載の物品管理システムにおいて、
前記管理手段は、前記複数の仕切り板に設けられたアンテナのうち、前記ＲＦ−ＩＤメディアから情報を読み出すためのアンテナを順次切り替え、かつ、前記ＲＦ−ＩＤメディアから情報を読み出すためのアンテナの共振特性を、他のアンテナの共振特性と異ならせることを特徴とする物品管理システム。
【請求項４】
ＲＦ−ＩＤメディアが貼付された物品が収納可能に構成された棚を有する収納部材であって、
前記ＲＦ−ＩＤメディアと共振することにより前記ＲＦ−ＩＤメディアから情報を読み出すためのコイル状のアンテナが設けられ、前記物品が並べられる方向に前記棚を仕切る仕切り板を有する収納部材。
【発明の詳細な説明】
【技術分野】
【０００１】
本発明は、棚に収納された物品を管理する物品管理システムに関し、特に、棚に収納された物品をＲＦ−ＩＤメディアを用いて管理する物品管理システムに関する。
【背景技術】
【０００２】
従来、図書館等において棚に収納された書籍を管理する場合、バーコードや識別番号等のような書籍を管理するための識別情報を書籍の表紙あるいは裏表紙に記載したり、あるいは、該識別情報が印字されたラベルを書籍の表紙あるいは裏表紙に貼付したりしている。このバーコードや識別番号等の識別情報を書籍名と対応づけて管理しておき、書棚の保管場所において、書籍からバーコードや識別番号等の識別情報を読み取ることにより、書籍の在庫管理を行っている。
【０００３】
また、近年、非接触状態にて情報の書き込み及び読み出しが可能な非接触型ＩＣタグや非接触型ＩＣラベルといったＲＦ−ＩＤメディアを書籍に貼付しておき、また、書籍が収納される棚の底板や背板に、ＲＦ−ＩＤメディアから情報を読み取るためのアンテナを配置しておき、このアンテナを介してＲＦ−ＩＤメディアから情報を読み取り、書籍の在庫管理を行う技術が考えられている（例えば、特許文献１，２参照。）。
【特許文献１】特開２００３−７２９１９号公報
【特許文献２】特開２００４−２６４６５号公報
【発明の開示】
【発明が解決しようとする課題】
【０００４】
上述したようなＲＦ−ＩＤメディアとしては、ＲＦ−ＩＤメディアのコイル状のアンテナと、ＲＦ−ＩＤメディアに対して情報の書き込み及び読み出しを行うための情報書込／読出装置のコイル状のアンテナとの２つのアンテナ間にて電磁誘導を生じさせ、この電磁誘導によってＲＦ−ＩＤメディアに対する情報の書き込みや読み出しを行う電磁誘導方式のものが、透過性に優れ、かつ、信頼性が高いことから多く用いられている。
【０００５】
ここで、このような電磁誘導方式のものにおいては、情報書込／読出装置のアンテナに流れる電流によって生じる磁界がＲＦ−ＩＤメディアのアンテナのコア部分を通過することによりＲＦ−ＩＤメディアのアンテナに電流が流れ、それにより、ＲＦ−ＩＤメディアに対する情報の書き込みや読み出しが行われることになるため、情報書込／読出装置のアンテナとＲＦ−ＩＤメディアとを対向させなければ、十分な通信距離を得ることができない。特に、ＩＳＯで標準化されている１３．５６ＭＨｚのような高周波数帯を用いるものにおいては、情報書込／読出装置のアンテナとＲＦ−ＩＤメディアとが対向していない場合、通信距離が極端に短くなってしまう。
【０００６】
そのため、上述したように、書籍が収納される棚の底板に、ＲＦ−ＩＤメディアから情報を読み取るためのアンテナを配置しておくものにおいては、書籍に貼付されたＲＦ−ＩＤメディアとそのアンテナとを対向させることが困難であり、通信距離が短くなってしまうという問題点がある。
【０００７】
また、書籍が収納される棚の背板に、ＲＦ−ＩＤメディアから情報を読み取るためのアンテナを配置しておくものにおいては、書籍の背表紙にＲＦ−ＩＤメディアを貼付すればＲＦ−ＩＤメディアとアンテナとを対向させることができるが、書籍の厚さが薄い場合、ＲＦ−ＩＤメディアを書籍の背表紙に貼付することができず、その場合、書籍の表紙や裏表紙にＲＦ−ＩＤメディアを貼付することになり、上記同様に通信距離が短くなってしまうという問題点がある。
【０００８】
このように、棚に収納された物品にＲＦ−ＩＤメディアを貼付し、かつ、ＲＦ−ＩＤメディアから情報を読み取るためのアンテナを棚の底板や背板に配置して物品を管理するものにおいては、ＲＦ−ＩＤメディアとアンテナとの通信距離が短くなってしまい、ＲＦ−ＩＤメディアから情報を読み出すことができなくなってしまう虞れがある。
【０００９】
本発明は、上述したような従来の技術が有する問題点に鑑みてなされたものであって、棚に収納された物品をＲＦ−ＩＤメディアを用いて管理する物品管理システムにおいて、棚に並べられる方向の厚さが薄い物品についても確実に管理することができる物品管理システムを提供することを目的とする。
【課題を解決するための手段】
【００１０】
上記目的を達成するために本発明は、
棚に収納された物品を、該物品に貼付されたＲＦ−ＩＤメディアを用いて管理する物品管理システムであって、
前記ＲＦ−ＩＤメディアと共振することにより前記ＲＦ−ＩＤメディアから情報を読み出すためのコイル状のアンテナが設けられ、前記物品が並べられる方向に前記棚を仕切る仕切り板と、
前記ＲＦ−ＩＤメディアから前記アンテナを介して情報を読み出す情報読出手段と、
前記情報読出手段にて前記ＲＦ−ＩＤメディアから読み出された情報に基づいて前記物品を管理する管理手段とを有する。
【００１１】
また、前記仕切り板を複数有し、
前記複数の仕切り板のそれぞれについて当該仕切り板を挟むように２つずつの表示手段を有し、
前記管理手段は、前記複数の仕切り板に設けられたアンテナのうち１つのアンテナを介して前記ＲＦ−ＩＤメディアから情報が読み出された場合に当該アンテナが設けられた仕切り板を挟む２つの表示手段を駆動し、２つのアンテナを介して前記ＲＦ−ＩＤメディアから情報が読み出された場合に当該２つのアンテナが設けられた仕切り板に挟まれた２つの表示手段を駆動することを特徴とする。
【００１２】
また、前記管理手段は、前記複数の仕切り板に設けられたアンテナのうち、前記ＲＦ−ＩＤメディアから情報を読み出すためのアンテナを順次切り替え、かつ、前記ＲＦ−ＩＤメディアから情報を読み出すためのアンテナの共振特性を、他のアンテナの共振特性と異ならせることを特徴とする。
【００１３】
また、ＲＦ−ＩＤメディアが貼付された物品が収納可能に構成された棚を有する収納部材であって、
前記ＲＦ−ＩＤメディアと共振することにより前記ＲＦ−ＩＤメディアから情報を読み出すためのコイル状のアンテナが設けられ、前記物品が並べられる方向に前記棚を仕切る仕切り板を有する。
【００１４】
上記のように構成された本発明においては、物品に貼付されたＲＦ−ＩＤメディアから情報を読み出す場合、情報読出手段において、物品が並べられる方向に棚を仕切る仕切り板に設けられたコイル状のアンテナに電流を流し、この電流によってコイル状のアンテナとＲＦ−ＩＤメディアとを共振させ、ＲＦ−ＩＤメディアから情報を読み出す。ここで、ＲＦ−ＩＤメディアと共振するコイル状のアンテナは、物品が並べられる方向に棚を仕切る仕切り板に設けられているので、棚に並べられる方向の厚さが薄い物品においても、書籍の表紙や裏表紙のように仕切り板に対向する面にＲＦ−ＩＤメディアを貼付すれば、ＲＦ−ＩＤメディアとコイル状のアンテナとが対向することになり、ＲＦ−ＩＤメディアとこのＲＦ−ＩＤメディアから情報を読み出すためのアンテナとの通信距離が短くなってしまうことがなくなる。
【００１５】
また、仕切り板を複数設け、かつ、複数の仕切り板のそれぞれについて当該仕切り板を挟むように２つずつの表示手段を設け、管理手段において、複数の仕切り板に設けられたアンテナのうち１つのアンテナを介してＲＦ−ＩＤメディアから情報が読み出された場合に当該アンテナが設けられた仕切り板を挟む２つの表示手段を駆動し、２つのアンテナを介してＲＦ−ＩＤメディアから情報が読み出された場合に当該２つのアンテナが設けられた仕切り板に挟まれた２つの表示手段を駆動すれば、管理手段にて指定された物品の収納位置を特定しやすくなる。
【００１６】
また、管理手段において、複数の仕切り板に設けられたアンテナのうち、ＲＦ−ＩＤメディアから情報を読み出すためのアンテナを順次切り替え、かつ、ＲＦ−ＩＤメディアから情報を読み出すためのアンテナの共振特性を、他のアンテナの共振特性と異ならせれば、ＲＦ−ＩＤメディアから情報を読み出すためのアンテナが他のアンテナと共振して他のアンテナを介してＲＦ−ＩＤメディアから情報が読み出されてしまうことがない。
【発明の効果】
【００１７】
以上説明したように本発明においては、物品に貼付されたＲＦ−ＩＤメディアと共振することによりＲＦ−ＩＤメディアから情報を読み出すためのコイル状のアンテナが、物品が並べられる方向に棚を仕切る仕切り板に設けられた構成としたため、棚に並べられる方向の厚さが薄い物品においても、書籍の表紙や裏表紙のように仕切り板に対向する面にＲＦ−ＩＤメディアを貼付すれば、ＲＦ−ＩＤメディアとコイル状のアンテナとが対向することになり、それにより、ＲＦ−ＩＤメディアとこのＲＦ−ＩＤメディアから情報を読み出すためのアンテナとの通信距離が十分に確保され、物品に貼付されたＲＦ−ＩＤメディアを用いて確実に物品を管理することができる。
【００１８】
また、仕切り板を複数設け、かつ、複数の仕切り板のそれぞれについて当該仕切り板を挟むように２つずつの表示手段を設け、管理手段において、複数の仕切り板に設けられたアンテナのうち１つのアンテナを介してＲＦ−ＩＤメディアから情報が読み出された場合に当該アンテナが設けられた仕切り板を挟む２つの表示手段を駆動し、２つのアンテナを介してＲＦ−ＩＤメディアから情報が読み出された場合に当該２つのアンテナが設けられた仕切り板に挟まれた２つの表示手段を駆動する構成としたものにおいては、管理手段にて指定された物品の収納位置を特定しやすくすることができる。
【００１９】
また、管理手段において、複数の仕切り板に設けられたアンテナのうち、ＲＦ−ＩＤメディアから情報を読み出すためのアンテナを順次切り替え、かつ、ＲＦ−ＩＤメディアから情報を読み出すためのアンテナの共振特性を、他のアンテナの共振特性と異ならせるものにおいては、ＲＦ−ＩＤメディアから情報を読み出すためのアンテナが他のアンテナと共振して他のアンテナを介してＲＦ−ＩＤメディアから情報が読み出されることがなくなり、それにより、物品の収納位置が誤って認識されてしまうことを回避することができる。
【発明を実施するための最良の形態】
【００２０】
以下に、本発明の実施の形態について図面を参照して説明する。
【００２１】
図１は、本発明の物品管理システムの実施の一形態を示す図である。
【００２２】
本形態は図１に示すように、ＲＦ−ＩＤメディアであるＩＣタグ２が表紙に貼付された書籍１が収納される収納部材である書棚１０と、書棚１０に収納された書籍１を書籍１に貼付されたＩＣタグ２を用いて管理する管理手段である管理用パソコン２０と、書棚１０に収納された書籍１に貼付されたＩＣタグ２から情報を読み出す情報読出手段であるリーダ／ライタ３０とから構成されている。また、書棚１０は、２段の棚１１ａ，１１ｂを有し、棚１１ａ，１１ｂ毎に、書籍１が並べられる方向に棚１１ａ，１１ｂを仕切る４つの仕切り板であるブックシェルフ１２ａ−１〜１２ａ−４，１２ｂ−１〜１２ｂ−４がそれぞれ設けられている。また、このブックシェルフ１２ａ−１〜１２ａ−４，１２ｂ−１〜１２ｂ−４には、アンテナ切替器４０を介してリーダ／ライタ３０と接続され、書籍１に貼付されたＩＣタグ２と共振することによりＩＣタグ２から情報を読み出すためのコイル状のアンテナ１３ａ−１〜１３ａ−４，１３ｂ−１〜１３ｂ−４がそれぞれ設けられている。さらに、書棚１０には、ブックシェルフ１２ａ−１〜１２ａ−４，１２ｂ−１〜１２ｂ−４のそれぞれについて、ブックシェルフ１２ａ−１〜１２ａ−４，１２ｂ−１〜１２ｂ−４を挟むように２つずつの表示手段であるＬＥＤ１４ａ−１，１５ａ−１，１４ａ−２，１５ａ−２，１４ａ−３，１５ａ−３，１４ａ−４，１５ａ−４，１４ｂ−１，１５ｂ−１，１４ｂ−２，１５ｂ−２，１４ｂ−３，１５ｂ−３，１４ｂ−４，１５ｂ−４が設けられている。また、管理用パソコン２０の制御によって、ＬＥＤ１４ａ−１〜１４ａ−４，１４ｂ−１〜１４ｂ−４，１５ａ−１〜１５ａ−４，１５ｂ−１〜１５ｂ−４を駆動させるＬＥＤ駆動回路（不図示）が設けられている。また、管理用パソコン２０には、書棚１０に収納されて管理される書籍のタイトルや著者名、出版社名等の書籍情報と、書籍に貼付されるＩＣタグを識別可能なタグＩＤとが対応づけて管理されている。
【００２３】
以下に、上記のように構成された物品管理システムにおける物品管理方法について説明する。
【００２４】
まず、書棚１０に収納されて管理されている書籍１の検索方法について説明する。
【００２５】
管理用パソコン２０にて書籍の検索を指定すると、書棚１０に収納されて管理されている書籍を検索するための画面が表示される。
【００２６】
図２は、図１に示した物品管理システムにおいて管理用パソコン２０にて書籍の検索を指定した場合に表示される画面の一例を示す図である。
【００２７】
図２に示すように、管理用パソコン２０にて書籍の検索を指定すると、書棚１０に収納されて管理されている書籍のタイトルや著者名、出版社名からなる書籍情報の一覧が管理用パソコン２０に表示される。
【００２８】
この画面には、表示された一覧の中から所望の書籍を指定するためのラジオボタン２１が書籍毎に設けられており、このラジオボタン２１によって所望の書籍を指定する。また、ラジオボタン２１ではなく、書籍毎にチェックボックスを設けておき、複数の書籍を指定することも考えられる。さらに、図２に示したような書籍情報の一覧を表示するのではなく、書籍のタイトルや著者名、出版社名等の書籍情報を入力可能な画面を表示し、この画面に書籍のタイトルや著者名、出版社名等の書籍情報を入力することにより所望の書籍を指定することも考えられる。
【００２９】
上述したように所望の書籍を指定すると、管理用パソコン２０において、アンテナ切替器４０が制御され、まず、ブックシェルフ１２ａ−１〜１２ａ−４，１２ｂ−１〜１２ｂ−４に設けられたコイル状のアンテナ１３ａ−１〜１３ａ−４，１３ｂ−１〜１３ｂ−４のうち、アンテナ１３ａ−１のみがアクティブ状態に設定されてアンテナ１３ａ−１に電流が供給される。すると、この電流によってアンテナ１３ａ−１のコア部分に磁界が生じ、この磁界によってアンテナ１３ａ−１と通信可能距離にあるＩＣタグ２のアンテナに電流が流れ、ＩＣタグ２に書き込まれているタグＩＤがアンテナ１３ａ−１を介してリーダ／ライタ３０にて読み出される。
【００３０】
リーダ／ライタ３０にてアンテナ１３ａ−１を介して読み出されたタグＩＤは管理用パソコン２０に取り込まれ、管理用パソコン２０において、取り込まれたタグＩＤが、指定された書籍に対応づけられたタグＩＤであるかどうかが判断される。
【００３１】
次に、管理用パソコン２０にてアンテナ切替器４０が制御され、アンテナ１３ａ−１がＯＦＦ状態に設定され、次に、ブックシェルフ１２ａ−１〜１２ａ−４，１２ｂ−１〜１２ｂ−４に設けられたコイル状のアンテナ１３ａ−１〜１３ａ−４，１３ｂ−１〜１３ｂ−４のうち、アンテナ１３ａ−２のみがアクティブ状態に設定されてアンテナ１３ａ−２に電流が供給され、上記同様に、アンテナ１３ａ−２と通信可能距離にあるＩＣタグ２に書き込まれているタグＩＤがアンテナ１３ａ−２を介してリーダ／ライタ３０にて読み出される。
【００３２】
リーダ／ライタ３０にてアンテナ１３ａ−２を介して読み出されたタグＩＤは管理用パソコン２０に取り込まれ、管理用パソコン２０において、取り込まれたタグＩＤが、指定された書籍に対応づけられたタグＩＤであるかどうかが判断される。
【００３３】
アンテナ１３ａ−１を介して読み出されたタグＩＤが、指定された書籍に対応づけられたタグＩＤであり、かつ、アンテナ１３ａ−２を介して読み出されたタグＩＤが、指定された書籍に対応づけられたタグＩＤではない場合は、管理用パソコン２０によってＬＥＤ制御回路が制御され、ブックシェルフ１２ａ−１を挟むように設けられたＬＥＤ１４ａ−１，１５ａ−１が駆動して点灯する。
【００３４】
これにより、指定された書籍が、書棚１０内のブックシェルフ１２ａ−１を挟む領域に収納されていることが示される。
【００３５】
また、アンテナ１３ａ−１を介して読み出されたタグＩＤが、指定された書籍に対応づけられたタグＩＤであり、かつ、アンテナ１３ａ−２を介して読み出されたタグＩＤが、指定された書籍に対応づけられたタグＩＤである場合は、管理用パソコン２０によってＬＥＤ制御回路が制御され、ブックシェルフ１２ａ−１，１２ａ−２に挟まれるように設けられたＬＥＤ１５ａ−１，１４ａ−２が駆動して点灯する。
【００３６】
これにより、指定された書籍が、書棚１０内のブックシェルフ１２ａ−１とブックシェルフ１２ａ−２とに挟まれた領域に収納されていることが示される。
【００３７】
このようにして、ブックシェルフ１２ａ−１〜１２ａ−４，１２ｂ−１〜１２ｂ−４に設けられたコイル状のアンテナ１３ａ−１〜１３ａ−４，１３ｂ−１〜１３ｂ−４のうち、アクティブ状態となるアンテナを順次切り替え、アクティブ状態となったアンテナを介して読み出されたタグＩＤによって、指定された書籍の収納場所を検出し、その収納場所をＬＥＤ１４ａ−１〜１４ａ−４，１４ｂ−１〜１４ｂ−４，１５ａ−１〜１５ａ−４，１５ｂ−１〜１５ｂ−４を点灯することにより示すことになる。
【００３８】
図３は、図１に示した物品管理システムにおいて書籍１の収納位置に対するＬＥＤ１４ａ−１〜１４ａ−４，１４ｂ−１〜１４ｂ−４，１５ａ−１〜１５ａ−４，１５ｂ−１〜１５ｂ−４の点灯状態を説明するための図である。
【００３９】
アンテナ１３ａ−２がアクティブ状態に設定された際にアンテナ１３ａ−２を介して読み出されたタグＩＤが、指定された書籍に対応づけられたタグＩＤであり、かつ、アンテナ１３ａ−１，１３ａ−３がアクティブ状態に設定された際にアンテナ１３ａ−１，１３ａ−３を介して読み出されたタグＩＤが、指定された書籍に対応づけられたタグＩＤではない場合は、管理用パソコン２０によってＬＥＤ制御回路が制御され、ブックシェルフ１２ａ−２を挟むように設けられたＬＥＤ１４ａ−２，１５ａ−２が駆動して点灯する。
【００４０】
これにより、指定された書籍が、書棚１０内のブックシェルフ１２ａ−２を挟む領域に収納されていることが示される。
【００４１】
また、アンテナ１３ａ−２がアクティブ状態に設定された際にアンテナ１３ａ−２を介して読み出されたタグＩＤが、指定された書籍に対応づけられたタグＩＤであり、かつ、アンテナ１３ａ−３がアクティブ状態に設定された際にアンテナ１３ａ−３を介して読み出されたタグＩＤが、指定された書籍に対応づけられたタグＩＤである場合は、管理用パソコン２０によってＬＥＤ制御回路が制御され、ブックシェルフ１２ａ−２，１２ａ−３に挟まれるように設けられたＬＥＤ１５ａ−２，１４ａ−３が駆動して点灯する。
【００４２】
これにより、指定された書籍が、書棚１０内のブックシェルフ１２ａ−２とブックシェルフ１２ａ−３とに挟まれた領域に収納されていることが示される。
【００４３】
また、アンテナ１３ａ−３がアクティブ状態に設定された際にアンテナ１３ａ−３を介して読み出されたタグＩＤが、指定された書籍に対応づけられたタグＩＤであり、かつ、アンテナ１３ａ−２，１３ａ−４がアクティブ状態に設定された際にアンテナ１３ａ−２，１３ａ−４を介して読み出されたタグＩＤが、指定された書籍に対応づけられたタグＩＤではない場合は、管理用パソコン２０によってＬＥＤ制御回路が制御され、ブックシェルフ１２ａ−３を挟むように設けられたＬＥＤ１４ａ−３，１５ａ−３が駆動して点灯する。
【００４４】
これにより、指定された書籍が、書棚１０内のブックシェルフ１２ａ−３を挟む領域に収納されていることが示される。
【００４５】
また、アンテナ１３ａ−３がアクティブ状態に設定された際にアンテナ１３ａ−３を介して読み出されたタグＩＤが、指定された書籍に対応づけられたタグＩＤであり、かつ、アンテナ１３ａ−４がアクティブ状態に設定された際にアンテナ１３ａ−４を介して読み出されたタグＩＤが、指定された書籍に対応づけられたタグＩＤである場合は、管理用パソコン２０によってＬＥＤ制御回路が制御され、ブックシェルフ１２ａ−３，１２ａ−４に挟まれるように設けられたＬＥＤ１５ａ−３，１４ａ−４が駆動して点灯する。
【００４６】
これにより、指定された書籍が、書棚１０内のブックシェルフ１２ａ−３とブックシェルフ１２ａ−４とに挟まれた領域に収納されていることが示される。
【００４７】
また、アンテナ１３ａ−４がアクティブ状態に設定された際にアンテナ１３ａ−４を介して読み出されたタグＩＤが、指定された書籍に対応づけられたタグＩＤであり、かつ、アンテナ１３ａ−３がアクティブ状態に設定された際にアンテナ１３ａ−３を介して読み出されたタグＩＤが、指定された書籍に対応づけられたタグＩＤではない場合は、管理用パソコン２０によってＬＥＤ制御回路が制御され、ブックシェルフ１２ａ−４を挟むように設けられたＬＥＤ１４ａ−４，１５ａ−４が駆動して点灯する。
【００４８】
これにより、指定された書籍が、書棚１０内のブックシェルフ１２ａ−４を挟む領域に収納されていることが示される。
【００４９】
その後、棚１１ｂについても上記同様にして、指定された書籍が収納された領域が検出され、その領域に対応するＬＥＤが点灯する。
【００５０】
上述したように管理用パソコン２０によるＬＥＤ制御回路の制御によって点灯したＬＥＤは所定時間後消灯する。なお、指定された書籍に対応づけられたタグＩＤが全てのアンテナ１３ａ−１〜１３ａ−４，１３ｂ−１〜１３ｂ−４を介して読み出されなかった場合は、指定された書籍が書棚１０に収納されていない旨が管理用パソコン２０に表示され、また、指定された書籍に対応づけられたタグＩＤが３つ以上のアンテナを介して読み出された場合は、管理用パソコン２０からエラーメッセージが出力される。
【００５１】
ここで、ブックシェルフ１２ａ−１〜１２ａ−４，１２ｂ−１〜１２ｂ−４の間隔は、ブックシェルフ１２ａ−１〜１２ａ−４，１２ｂ−１〜１２ｂ−４に設けられたアンテナ１３ａ−１〜１３ａ−４，１３ｂ−１〜１３ｂ−４の通信可能距離に設定されているが、例えば、アンテナ１３ａ−１のコア部分に生じた磁界によって、このアンテナ１３ａ−１が設けられたブックシェルフ１２ａ−１に隣接するブックシェルフ１２ａ−２に設けられたアンテナ１３ａ−２に電流が流れてしまう虞れがある。その場合、アンテナ１３ａ−２のコア部分にも磁界が生じ、それにより、ブックシェルフ１２ａ−２のブックシェルフ１２ａ−１とは反対側に収納された書籍１に貼付されたＩＣタグ２からタグＩＤが読み出されてしまい、管理用パソコン２０において、読み出されたタグＩＤに対応する書籍がブックシェルフ１２ａ−２を挟む領域に収納されているかのように認識されてしまうことになる。そこで、本形態においては、ブックシェルフ１２ａ−１〜１２ａ−４，１２ｂ−１〜１２ｂ−４に設けられたコイル状のアンテナ１３ａ−１〜１３ａ−４，１３ｂ−１〜１３ｂ−４のうち、アクティブ状態となるアンテナとその他のアンテナとの共振特性を異ならせることができるような構成としている。
【００５２】
図４は、図１に示した物品管理システムにおいてアンテナ１３ａ−１〜１３ａ−４，１３ｂ−１〜１３ｂ−４の共振特性を異ならせるための構成の一例を説明するための図であり、アンテナ１３ａ−１の構成例を示す。なお、アンテナ１３ａ−２〜１３ａ−４，１３ｂ−１〜１３ｂ−４についても同様の構成とする。
【００５３】
図４に示すように、アンテナ１３ａ−１と並列にコンデンサ１６と、コンデンサ１６のＯＮ／ＯＦＦを制御するための電子スイッチ１７を設けておく。
【００５４】
管理用パソコン２０において、アンテナ１３ａ−１〜１３ａ−４，１３ｂ−１〜１３ｂ−４のうち、アクティブ状態に設定するアンテナのみ、電子スイッチ１７を制御してコンデンサ１６をＯＮまたはＯＦＦ状態に設定する。この際、他のアンテナに設けられたコンデンサ１６は、アクティブ状態に設定されたアンテナに設けられたコンデンサ１６とは異なる状態となっている。すなわち、アクティブ状態に設定されたアンテナに設けられたコンデンサ１６がＯＮ状態に設定された場合、他のアンテナに設けられたコンデンサ１６はＯＦＦ状態となっており、また、アクティブ状態に設定されたアンテナに設けられたコンデンサ１６がＯＦＦ状態に設定された場合、他のアンテナに設けられたコンデンサ１６はＯＮ状態となっている。すると、アクティブ状態のアンテナとその他のアンテナとの共振周波数が異なり、それにより、アクティブ状態となったアンテナとその他のアンテナとが共振することがなくなり、アクティブ状態ではないアンテナを介してＩＣタグからタグＩＤが読み出されることがなくなる。
【００５５】
また、上述したように、アンテナ１３ａ−１〜１３ａ−４，１３ｂ−１〜１３ｂ−４と並列にコンデンサ１６を設けるのではなく、アンテナ１３ａ−１〜１３ａ−４，１３ｂ−１〜１３ｂ−４と直列にコイルを設け、アンテナ１３ａ−１〜１３ａ−４，１３ｂ−１〜１３ｂ−４のうち、アクティブ状態に設定するアンテナのみコイルをＯＮまたはＯＦＦ状態に設定することによっても、アクティブ状態のアンテナとその他のアンテナとの共振周波数を異ならせることができる。また、アンテナ１３ａ−１〜１３ａ−４，１３ｂ−１〜１３ｂ−４と直列に抵抗を設け、アンテナ１３ａ−１〜１３ａ−４，１３ｂ−１〜１３ｂ−４のうち、アクティブ状態に設定するアンテナのみ抵抗のみに電流が流れるあるいは流れないように制御することによって、アクティブ状態のアンテナとその他のアンテナとの共振感度を異ならせ、共振特性を異ならせることも考えられる。
【００５６】
次に、書棚１０に収納されて管理されている書籍１の棚卸し方法について説明する。
【００５７】
管理用パソコン２０にて書籍の棚卸しを指定すると、まず、管理用パソコン２０によってアンテナ切替器４０が制御され、ブックシェルフ１２ａ−１〜１２ａ−４，１２ｂ−１〜１２ｂ−４に設けられたコイル状のアンテナ１３ａ−１〜１３ａ−４，１３ｂ−１〜１３ｂ−４のうち、アクティブ状態となるアンテナが順次切り替えられ、アクティブ状態となったアンテナを介してリーダ／ライタ３０にてＩＣタグ２からタグＩＤが順次読み出される。
【００５８】
ＩＣタグ２から読み出されたタグＩＤはリーダ／ライタ３０から管理用パソコン２０に取り込まれ、管理用パソコン２０において、リーダ／ライタ３０から取り込まれたタグＩＤに対応する書籍が認識され、棚卸し結果が表示される。
【００５９】
図５は、図１に示した物品管理システムにおいて管理用パソコン２０に表示される棚卸し結果の一例を示す図である。
【００６０】
図５に示すように、管理用パソコン２０においては、書棚１０に収納されて管理されている書籍のタイトルや著者名、出版社名からなる書籍情報が一覧表示され、その書籍毎に、書籍が書棚１０に現在収納されているかどうかが、在庫の有無によって表示される。なお、この際、上述したように書籍のそれぞれの収納位置を認識し、認識された収納位置についても表示することも考えられる。
【００６１】
なお、書籍１に対するＩＣタグ２の貼付位置においては、ブックシェルフ１２ａ−１〜１２ａ−４，１２ｂ−１〜１２ｂ−４に設けられたコイル状のアンテナ１３ａ−１〜１３ａ−４，１３ｂ−１〜１３ｂ−４のコア部分に対向する位置とすることが好ましいが、さらには、書籍１に貼付されたＩＣタグ２どうしが干渉しないために、アンテナ１３ａ−１〜１３ａ−４，１３ｂ−１〜１３ｂ−４のコア部分に対向する位置において書籍１毎に異なるようにすることが好ましい。
【００６２】
また、本形態においては、ＩＣタグ２が貼付された書籍１を管理するものを例に挙げて説明したが、本発明は書籍１を管理するものに限らず、棚１１ａ，１１ｂに収納可能なものであればＩＣタグ２を貼付して管理することができる。
【図面の簡単な説明】
【００６３】
【図１】本発明の物品管理システムの実施の一形態を示す図である。
【図２】図１に示した物品管理システムにおいて管理用パソコンにて書籍の検索を指定した場合に表示される画面の一例を示す図である。
【図３】図１に示した物品管理システムにおいて書籍１の収納位置に対するＬＥＤの点灯状態を説明するための図である。
【図４】図１に示した物品管理システムにおいてアンテナの共振特性を異ならせるための構成の一例を説明するための図である。
【図５】図１に示した物品管理システムにおいて管理用パソコンに表示される棚卸し結果の一例を示す図である。
【符号の説明】
【００６４】
１    書籍
２    ＩＣタグ
１０    書棚
１１ａ，１１ｂ    棚
１２ａ−１〜１２ａ−４，１２ｂ−１〜１２ｂ−４    ブックシェルフ
１３ａ−１〜１３ａ−４，１３ｂ−１〜１３ｂ−４    アンテナ
１４ａ−１〜１４ａ−４，１４ｂ−１〜１４ｂ−４，１５ａ−１〜１５ａ−４，１５ｂ−１〜１５ｂ−４    ＬＥＤ
１６    コンデンサ
１７    電子スイッチ
２０    管理用パソコン
３０    リーダ／ライタ
４０    アンテナ切替器
【図１】
2005343608.tif 000003
【図２】
2005343608.tif 000004
【図３】
2005343608.tif 000005
【図４】
2005343608.tif 000006
【図５】
2005343608.tif 000007